(57)【要約】【課題】耐久性に優れながらも、低廉化を図り得る空気清浄用のフィルタシステム、及び、空気清浄装置を提供する。【解決手段】複数の板状のフィルタ本体１０１が互いに間隔を隔てて板面に沿う方向に並ぶ形態で保持体Ｋにて保持されて構成されたフィルタ１００を備えた空気清浄用のフィルタシステムであって、保持体Ｋが、通気性及び柔軟性を有する部材にて、各フィルタ本体１０１の両面夫々の全面を覆う状態で複数のフィルタ本体１０１を各別に収納する複数の袋状収納部１０２を備え且つ厚さ方向視での各袋状収納部１０２の周囲全周が封止状態となるように形成された袋状保持体Ｋにて構成され、フィルタ１００が、複数のフィルタ本体１０１を袋状保持体Ｋの複数の袋状収納部１０２に分散収納して構成されている。【選択図】図１
2010119770.tif 000002
【特許請求の範囲】
【請求項１】
複数の板状のフィルタ本体が互いに間隔を隔てて板面に沿う方向に並ぶ形態で保持体にて保持されて構成されたフィルタを備えた空気清浄用のフィルタシステムであって、
前記保持体が、通気性及び柔軟性を有する部材にて、各フィルタ本体の両面夫々の全面を覆う状態で前記複数のフィルタ本体を各別に収納する複数の袋状収納部を備え且つ厚さ方向視での各袋状収納部の周囲全周が封止状態となるように形成された袋状保持体にて構成され、
前記フィルタが、前記複数のフィルタ本体を前記袋状保持体の複数の袋状収納部に分散収納して構成されている空気清浄用のフィルタシステム。
【請求項２】
前記袋状保持体が、通気性及び柔軟性を有する２枚のシート状体をそれらの間に前記複数のフィルタ本体が板面に沿う方向に並べられた状態で対向配置して、それら２枚のシート状体における厚さ方向視での各フィルタ本体の外周の全周に対応する箇所を接合して構成されている請求項１記載の空気清浄用のフィルタシステム。
【請求項３】
前記２枚のシート状体が、熱溶融性の部材にて構成され、
前記袋状保持体が、前記２枚のシート状体を熱溶着にて接合して構成されている請求項２記載の空気清浄用のフィルタシステム。
【請求項４】
前記フィルタが脱臭機能を有するように構成され、
前記フィルタにおける空気通流方向の上流側に対応する箇所に、除塵機能を有する上流側フィルタが配設されている請求項１〜３のいずれか１項に記載の空気清浄用のフィルタシステム。
【請求項５】
請求項１〜４のいずれか１項に記載の空気清浄用のフィルタシステムを備えた空気清浄装置であって、
吸込口と吹出し口とを備えたケーシング内に、前記吸込口から吸い込まれた空気を前記吹出し口に導くように通風路が設けられ、
前記フィルタが前記通風路を横断する形態で前記ケーシング内に設けられ、
前記吸込口から吸い込んだ空気を前記吹出し口から送出するように通風作用する送風手段が、前記フィルタにおける空気通流方向下流側に対応する箇所に、前記フィルタに吸い込み作用する状態で設けられている空気清浄装置。
【発明の詳細な説明】
【技術分野】
【０００１】
本発明は、複数の板状のフィルタ本体が互いに間隔を隔てて板面に沿う方向に並ぶ形態で保持体にて保持されて構成されたフィルタを備えた空気清浄用のフィルタシステム、及び、そのフィルタシステムを備えた空気清浄装置に関する。
【背景技術】
【０００２】
かかる空気清浄用のフィルタシステム（以下、単にフィルタシステムと記載する場合がある）は、例えば、濾過対象空気を脱臭、殺菌することにより清浄化するものであり、脱臭機能、抗菌機能等の濾過機能を有する板状のフィルタを備えて構成される。
濾過機能を高くするには、フィルタの板面を広くして濾過対象空気を通過させる面積を広くする必要があるが、フィルタは機械的強度が弱い板状部材を用いて構成されるため、フィルタを単一の板状部材にて構成して板面を広くするとフィルタが破損し易くなって耐久性が低下する虞がある。
例えば、脱臭機能を備えさせる場合、活性炭等の脱臭機能を有する多孔状粒体を有機バインダに混合した混合物をハニカム状の板状に成形したのち乾燥等の固化処理を施した板状部材を用いてフィルタを構成することになるが、このような板状部材は機械的強度が弱いものである。
【０００３】
そこで、濾過機能を有する複数の板状のフィルタ本体を互いに間隔を隔てて板面に沿う方向に並ぶ形態で保持体にて保持してフィルタを構成することにより、フィルタの板面を広くしながらも、フィルタ本体が破損し難いようにしている。
【０００４】
このようなフィルタシステムにおいて、従来は、保持体が、重ね合わせた状態において互いに対向するように複数の通気窓を備えた２枚の枠体と、それら２枚の枠体の間に配設される通気性及び柔軟性を有する複数のクッション材とから構成されていた。
そして、複数のフィルタ本体を各フィルタ本体の両面の全面をクッション材にて覆う状態で各通気窓に各別に対向させて並べた形態で２枚の枠体にて挟持することにより、フィルタが構成されていた。
クッション材としては、並列状態の複数のフィルタ本体の一方の板面を一括して覆う１枚の内側クッション材と、各フィルタ本体の他方の板面及び側周部全周を覆う状態で並列状態の複数のフィルタ本体夫々に対応させて各別に配置される複数の外側クッション材とから構成されていた（例えば、特許文献１参照。）。
つまり、各フィルタ本体の両面の全面及び側周部全周をクッション材により覆うことにより機械的強度の弱い各フィルタ本体を保護して耐久性を向上し、２枚の枠体により、複数のフィルタ本体を互いに間隔を隔てて板面に沿う方向に並ぶ形態で保持する構成となっていた。
【０００５】
【特許文献１】特開２０００−４３２号公報
【発明の開示】
【発明が解決しようとする課題】
【０００６】
しかしながら、従来のフィルタシステムでは、上述のように、保持体が２枚の枠体とそれら２枚の枠体の間に配設される複数のクッション材とから構成されるため、部品数が多くなり、しかも、そのように多数の部品からなる保持体を組み付けてフィルタを構成するため、組み付け作業が複雑となっていた。
従って、フィルタシステムの価格が高くなり、又、そのようなフィルタシステムを備えた空気清浄装置の価格も高くなるという問題があった。
【０００７】
本発明は、かかる実情に鑑みてなされたものであり、その目的は、耐久性に優れながらも、低廉化を図り得る空気清浄用のフィルタシステム、及び、空気清浄装置を提供することにある。
【課題を解決するための手段】
【０００８】
本発明の空気清浄用のフィルタシステムは、複数の板状のフィルタ本体が互いに間隔を隔てて板面に沿う方向に並ぶ形態で保持体にて保持されて構成されたフィルタを備えたものであって、
その第１特徴構成は、
前記保持体が、通気性及び柔軟性を有する部材にて、各フィルタ本体の両面夫々の全面を覆う状態で前記複数のフィルタ本体を各別に収納する複数の袋状収納部を備え且つ厚さ方向視での各袋状収納部の周囲全周が封止状態となるように形成された袋状保持体にて構成され、
前記フィルタが、前記複数のフィルタ本体を前記袋状保持体の複数の袋状収納部に分散収納して構成されている点にある。
【０００９】
即ち、袋状保持体により、複数のフィルタ本体が、各フィルタ本体の両面全面及び側周部全周、つまり、各フィルタ本体の外周部全体が覆われた状態で、互いに間隔を隔てて板面に沿う方向に並ぶ形態で保持される。
そして、袋状保持体により、各フィルタ本体の外周部全体が覆われているので、各フィルタ本体が外部からの衝撃から保護され、並びに、隣接するフィルタ本体同士の衝突が阻止されるものとなり、各フィルタ本体の破損が防止される。
【００１０】
つまり、袋状保持体に、複数のフィルタ本体夫々を保護する機能、及び、複数のフィルタ本体を互いに間隔を隔てて板面に沿う方向に並ぶ形態で保持する機能を備えさせることができるので、フィルタを構成する部品の数を少なくすることが可能となり、又、そのようにフィルタを構成する部品の数を少なくすることが可能となることにより、フィルタを組み付ける作業を簡素化することが可能となる。
従って、耐久性に優れながらも、低廉化を図り得る空気清浄用のフィルタシステムを提供することができるようになった。
【００１１】
空気清浄用のフィルタシステムの第２特徴構成は、上記第１特徴構成に加えて、
前記袋状保持体が、通気性及び柔軟性を有する２枚のシート状体をそれらの間に前記複数のフィルタ本体が板面に沿う方向に並べられた状態で対向配置して、それら２枚のシート状体における厚さ方向視での各フィルタ本体の外周の全周に対応する箇所を接合して構成されている点にある。
【００１２】
即ち、袋状保持体が、シート状の如き簡素な形状の通気性及び柔軟性を有する２枚のシート状体にて構成されているので、袋状保持体の低廉化をより一層図ることができる。
そして、単に、２枚のシート状体をそれらの間に複数のフィルタ本体を板面に沿う方向に並べた状態で対向配置して、それら２枚のシート状体における厚さ方向視での各フィルタ本体の外周の全周に対応する箇所を接合するといった簡単な作業でフィルタが組み付けられるので、フィルタの組み付け作業をより一層簡素化することができるものとなる。
従って、空気清浄用のフィルタシステムの低廉化をより一層図ることができるようになった。
【００１３】
空気清浄用のフィルタシステムの第３特徴構成は、上記第２特徴構成に加えて、
前記２枚のシート状体が、熱溶融性の部材にて構成され、
前記袋状保持体が、前記２枚のシート状体を熱溶着にて接合して構成されている点にある。
【００１４】
即ち、２枚のシート状体を電気ヒータ等を用いて熱溶着することにより、袋状保持体が構成される。
つまり、２枚のシート状体を熱溶着により接合するようにすることにより、例えば、２枚のシート状体を接着剤を用いて接合する場合と比較すると、２枚のシート状体の接合に接着剤を用いないので、材料費の低減を図ることができ、又、接着剤の塗布工程や乾燥工程が不要となる等、工程数を少なくすることができるので、フィルタの組み付け作業のより一層の簡素化を図ることができる。
又、２枚のシート状体における熱溶着により接合した部分は、通気性がなくなるので、濾過対象空気がフィルタにおけるフィルタ本体が存在しない部分、即ち、濾過機能を有しない部分を通過するのを抑制することができるものとなり、濾過機能が低下するのを抑制することができる。
従って、濾過能力を向上しながら、空気清浄用のフィルタシステムの低廉化を更に図ることができるようになった。
【００１５】
空気清浄用のフィルタシステムの第４特徴構成は、上記第１〜第３特徴構成のいずれか１つに加えて、
前記フィルタが脱臭機能を有するように構成され、
前記フィルタにおける空気通流方向の上流側に対応する箇所に、除塵機能を有する上流側フィルタが配設されている点にある。
【００１６】
即ち、濾過対象空気が上流側フィルタを通過することにより除塵され、そのように除塵された濾過対象空気がフィルタを通過することにより脱臭される。
つまり、濾過対象空気をフィルタを通過させる前に先に上流側フィルタにより除塵するので、フィルタの目詰まりを抑制することができるものとなり、フィルタの清掃等、目詰まり解消のためのメンテナンスを軽減することができる。
従って、メンテナンスを軽減しながらも、低廉化を図り得る脱臭機能を有する空気清浄用のフィルタシステムを提供することができるようになった。
【００１７】
本発明の空気清浄装置は、上記第１〜第４特徴構成のいずれか１つを有する空気清浄用のフィルタシステムを備えたものであって、
その第１特徴構成は、
吸込口と吹出し口とを備えたケーシング内に、前記吸込口から吸い込まれた空気を前記吹出し口に導くように通風路が設けられ、
前記フィルタが前記通風路を横断する形態で前記ケーシング内に設けられ、
前記吸込口から吸い込んだ空気を前記吹出し口から送出するように通風作用する送風手段が、前記フィルタにおける空気通流方向下流側に対応する箇所に、前記フィルタに吸い込み作用する状態で設けられている点にある。
【００１８】
即ち、送風手段の送風作用により、吸込口から吸い込まれた空気がフィルタを通過して清浄化された後、吹出し口から吹出されることになり、空気清浄対象空間が清浄化される。
そして、送風手段が、フィルタにおける空気通流方向下流側に対応する箇所に、フィルタに吸い込み作用する状態で設けられるので、板面の広いフィルタを設けても、送風手段をフィルタに近づけて配置して空気清浄装置の大型化を回避しながら、フィルタにおける極力広い範囲を通過させる形態で濾過対象空気を通風させることができる。
このように、板面の広いフィルタにおける極力広い範囲を通過させる形態で濾過対象空気を通風させることができるので、所定の通風量を確保しながらも、フィルタを通過させる濾過対象空気の速度を遅くすることが可能となり、濾過効率を向上させて濾過能力を向上させることができる。
そして、上記第１〜第４特徴構成のいずれか１つを有する空気清浄用のフィルタシステムを備えさせるので、先に、フィルタシステムにおける第１特徴構成において記載した如く、フィルタシステムの耐久性の向上及び低廉化が可能であることは勿論のことである。
従って、耐久性に優れながらも低廉化を図ることができ、しかも、コンパクト化並びに濾過能力の向上を図り得る空気清浄装置を提供することができるようになった。
【発明を実施するための最良の形態】
【００１９】
以下、図面に基づいて、本発明の実施の形態を説明する。
図１に示すように、フィルタシステムＦは、脱臭機能を有する脱臭用フィルタ（フィルタに相当する）１００と除塵機能を有する除塵用フィルタ（上流側フィルタに相当する）２００とを、除塵用フィルタ２００が空気通流方向の上流側に位置するように空気通流方向に並べた状態で保持枠３００に保持して構成されている。尚、図１の（ａ）は、フィルタシステムＦの縦断面図であり、（ｂ）は保持枠３００の前面図である。
そして、このフィルタシステムＦを備える空気清浄装置に設けられる送風手段（図示省略）により、濾過対象空気を図１に示す矢印の如く除塵用フィルタ２００側からフィルタシステムＦを通過させることにより、濾過対象空気が除塵脱臭されることになる。
【００２０】
脱臭用フィルタ１００と除塵用フィルタ２００はいずれも例えば矩形状の板状に構成されている。
除塵用フィルタ２００は、メインフィルタ２０１とそのメインフィルタ２０１よりも粗い塵埃を除去するためのプレフィルタ２０２とを備えて構成され、プレフィルタ２０２が空気通流方向上流側に位置するように配設されることになる。
【００２１】
保持枠３００は、矩形状の脱臭用フィルタ１００及び除塵用フィルタ２００を収納可能な有底角筒状に構成されている。そして、その保持枠３００の底部には濾過対象空気を通過させるための環状の通気口３０１が形成され、この通気口３０１の中央の円板状部分が送風手段を取り付けるファン取付部３０４に構成されている。又、保持枠３００の底部には、脱臭用フィルタ１００の空気通流方向下流側の面を当接させてその脱臭用フィルタ１００を保持枠３００の底部と離間させて受け止め支持するための複数（この実施形態では８本）の棒状のリブ３０２が、環状の通気口３０１の中心を中心とする放射状に設けられ、環状の通気口３０１には、径が異なる複数の環状桟３０５が複数のリブ３０２に支持される形態で通気口３０１と同心状に設けられている。
更に、保持枠３００の開口縁部には、内方側に突出する複数の爪部３０３が周方向に分散させて設けられている。
【００２２】
脱臭用フィルタ１００及び除塵用フィルタ２００はいずれも可撓性を有するように構成され、その可撓性を利用して、脱臭用フィルタ１００、除塵用フィルタ２００の順に複数の爪部３０３をくぐらせるようにして保持枠３００内に収納すると、脱臭用フィルタ１００の後面が複数のリブ３０２に当接し且つ除塵用フィルタ２００の前面が複数の爪部３０３に係合された形態で、フィルタシステムＦが保持枠３００内に保持されることになる。
従って、フィルタシステムＦが保持枠３００に保持された状態では、脱臭用フィルタ１００の後面と保持枠３００の底面との間には、複数の放射状のリブ３０２により吸込み空間４００が形成される。
【００２３】
図２及び図３に示すように、脱臭用フィルタ１００は、脱臭機能を有する複数の板状のフィルタ本体１０１が互いに間隔を隔てて板面に沿う方向に並ぶ形態で保持体Ｋにて保持されて構成されている。
そして、本発明では、保持体Ｋが、通気性及び柔軟性を有する部材にて、各フィルタ本体１０１の両面夫々の全面を覆う状態で複数のフィルタ本体１０１を各別に収納する複数の袋状収納部１０２を備え且つ厚さ方向視での各袋状収納部１０２の周囲全周が封止状態となるように形成された袋状保持体Ｋにて構成され、脱臭用フィルタ１００が、複数のフィルタ本体１０１を袋状保持体Ｋの複数の袋状収納部１０２に分散収納して構成されている。
又、この実施形態では、袋状保持体Ｋが、通気性及び柔軟性を有する２枚のシート状体１０３をそれらの間に複数のフィルタ本体１０１が板面に沿う方向に並べられた状態で対向配置して、それら２枚のシート状体１０３における厚さ方向視での各フィルタ本体１０１の外周の全周に対応する箇所を接合して構成されている。
【００２４】
活性炭と有機バインダ等を混合した混合物をハニカム構造を有する板状に押出成形して、その成形物を乾燥ののち焼成することにより、ハニカム構造を有する板状のフィルタ本体１０１が得られる。
【００２５】
シート状体１０３は、三次元網状構造により通気性を有するように形成された熱溶融性のウレタンフォームにて構成されている。従って、このシート状体１０３は、柔軟性を備える。
シート状体１０３を構成するウレタンフォームは、例えば、ポリエーテル系であり、そのウレタンフォームのセル（孔）の個数は、例えば、２５ｍｍ四方の面当たり８〜１８個であり、厚さは、例えば、２〜８ｍｍである。
【００２６】
そして、１枚のシート状体１０３の上に、複数のフィルタ本体１０１を例えば縦、横夫々３列の格子状に並べて配置し、そのように配置した複数のフィルタ本体１０１の上にもう１枚のシート状体１０３を重ねて、２枚のシート状体１０３における外周縁部全周、及び、隣接するフィルタ本体１０１の間に対応する部分を熱溶着により接合することにより、脱臭用フィルタ１００が構成される。
つまり、袋状保持体Ｋが、２枚のシート状体１０３を熱溶着にて接合して構成されることになる。
【００２７】
２枚のシート状体１０３を熱溶着する装置について、図示を省略して簡単に説明する。
先端の加熱作用部分がシート状体１０３における外周縁部全周及び隣接するフィルタ本体１０１の間に対応するように碁盤目状に形成されたヒータが、先端の加熱作用部分を対向させた状態で上下２個設けられている。
上方側のヒータは、上下方向に移動自在で、且つ、下方側への押圧力が調整自在に設けられる。
そして、下方側のヒータ上に、上述のように間に複数のフィルタ本体１０１を並べた２枚のシート状体１０３を載せて、上方側のヒータを下方側に移動させて２枚のシート状体１０３を押圧することにより、２枚のシート状体１０３を熱溶着にて接合する。
【００２８】
２枚のシート状体１０３が熱溶着された部分は、三次元網状構造が破壊されて通気性がなくなるので、シート状体１０３の外周縁部や、隣接するフィルタ本体１０１の間に対応する箇所を濾過対象空気が通過するのを抑制して、濾過対象空気が脱臭用フィルタ１００におけるフィルタ本体１０１が存在しない部分、即ち、濾過機能を有しない部分を通過するのを抑制することができる。つまり、濾過対象空気が各フィルタ本体１０１側に案内されて各フィルタ本体１０１を通過する。
【００２９】
除塵用フィルタ２００は周知の構造であるので詳細な説明を省略して簡単に説明すると、この除塵用フィルタ２００は、不織布を用いて構成され、特に、メインフィルタ２０１はプリーツ状に成型した不織布を用いて構成される。
【００３０】
以下、図４〜図７に基づいて、上述のように構成されたフィルタシステムＦを備えた空気清浄装置について説明する。
図４〜図７に示すように、吸込口１と吹出し口２とを備えたケーシングＣ内に、吸込口１から吸い込まれた空気を吹出し口２に導くように通風路Ｐが設けられ、本発明に係るフィルタシステムＦが、脱臭用フィルタ１００及び除塵用フィルタ２００が通風路Ｐを横断する形態でケーシングＣ内に設けられ、吸込口１から吸い込んだ空気を吹出し口２から送出するように通風作用する送風手段としての遠心ファン３が、脱臭用フィルタ１００における空気通流方向下流側に対応する箇所に、脱臭用フィルタ１００に吸い込み作用する状態で設けられている。
【００３１】
ケーシングＣは、上下方向に長い概ね長方形箱状で前側が開口されたケーシング本体４と、そのケーシング本体４の前側に着脱自在に取り付けられる前面カバー５とを備えて構成されている。ケーシング本体４及び前面カバー５はいずれも合成樹脂製である。
そして、前面カバー５がケーシング本体４の前側に取り付けられた状態で、ケーシング本体４の開口部が閉じられることになる。
【００３２】
図５〜図７に示すように、ケーシング本体４の上下左右の四壁部における前後方向中間部には、後方側が引っ込む形態で段部４ａが一連に連なるように設けられている。
吸込口１として、ケーシング本体４の左右の側壁部夫々の段部４ａよりも前方側の部分に側方吸込口１ｓが設けられ、ケーシング本体４の後壁部の下方側に後方吸込口１ｒが設けられている。
吹出し口２として、上側吹出し口２ｔ及び下側吹出し口２ｂが前面カバー５の上方左側と下方右側とに振り分けた状態で設けられている。
【００３３】
そして、図５及び図６に示すように、通風路Ｐにおける遠心ファン３が吸い込み作用する吸込風路部分として、左右の側方吸込口１ｓに吸い込み作用する循環用吸込風路部分６ｓと後方吸込口１ｒに吸い込み作用する外気用吸込風路部分６ｒとの２系統が設けられている。
又、通風路Ｐにおける遠心ファン３が吐出作用する吐出風路部分として、上側吹出し口２ｔに吐出作用する上側吐出風路部分７ｔと下側吹出し口２ｂに吐出作用する下側吐出風路部分７ｂとの２系統が設けられている。
更に、左右の側方吸込口１ｓから吸い込まれる空気量と後方吸込口１ｒから吸い込まれる空気量との比率を変更調整するシャッタ８が、外気用吸込風路部分６ｒの途中に設けられている。
【００３４】
図５及び図６に示すように、遠心ファン３がケーシング本体４内における段部４ａよりも後方側の部分に設けられる。
そして、ケーシング本体４の段部４ａよりも後方側の部分には、遠心ファン３の一対のスクロール壁９が、前面視で遠心ファン３の回転軸心に対して上方右側と下方左側との点対称となる位置に、ケーシング本体４の後壁部から立ち上がる形態で設けられている。
各スクロール壁９は、遠心ファン３の回転軸心に最も近い舌部９ｔから遠心ファン３の回転方向Ｒ側に遠ざかるほど回転軸心から遠ざかる形態に設けられ、上方右側のスクロール壁９の先端は、前面視で上側吹出し口２ｔの右端後方に対応する箇所にまで延びてケーシング本体４の上壁内面に連結され、下方左側のスクロール壁９の先端は、前面視で下側吹出し口２ｂの左端後方に対応する箇所にまで延びてケーシング本体４の下壁内面に連結されている。
後方吸込口１ｒは、ケーシング本体４の底部における下方左側のスクロール壁９の外側の隅部に設けられている。
【００３５】
図４〜図６に示すように、ケーシング本体４内の前方側の部分に、フィルタシステムＦを保持し並びに通風路Ｐを形成するための通風路形成体１０が設けられている。この通風路形成体１０も、ケーシング本体４や前面カバー５と同様の合成樹脂製である。
この通風路形成体１０は、周縁部がケーシング本体４の開口縁部に係合可能な矩形状に構成され、その上下方向の略中央部には、フィルタシステムＦを保持する上述の如き保持枠３００が形成されている。
【００３６】
又、通風路形成体１０には、その通風路形成体１０がケーシング本体４内に設けられた状態で、ケーシング本体４に取り付けられる前面カバー５の上側吹出し口２ｔ、下側吹出し口２ｂに夫々連通する四角筒状の上側吐出筒部１０ｔ、下側吐出筒部１０ｂが設けられ、更に、ケーシング本体４の後壁部の後方吸込口１ｒの前方に対向位置する円形の連通口１０ｒが設けられている。
【００３７】
図６に示すように、保持枠３００のファン取付部３０４の後面に、遠心ファン３のモータ３ｍがその回転軸の先端が後方を向く形態で取り付けられ、その回転軸の先端に遠心ファン３の羽根車３ｆが通気口３０１に対して吸い込み作用するように取り付けられている。
そして、そのように遠心ファン３が取り付けられた通風路形成体１０が、その後面がケーシング本体４の段部４ａ及び一対のスクロール壁９の前端面に当接し、且つ、その外周縁部がケーシング本体４の開口縁部に係合される状態で、ケーシング本体４内に設けられる。
通風路形成体１０の連通口１０ｒとケーシング本体４の後方吸込口１ｒとは、発泡スチロール製の連通筒１１にて連通接続される。
又、図４及び図５に示すように、通風路形成体１０の前面部における上側吐出筒部１０ｔの右横には、空気清浄装置の運転を制御する制御部１２が設けられている。
【００３８】
図４及び図６に示すように、フィルタシステムＦは、脱臭用フィルタ１００が後方側に位置する姿勢で、上述したように保持枠３００内に保持されることになる。
【００３９】
図６に示すように、前面カバー５は、その後面と保持枠３００内に設けられたフィルタシステムＦの前面（除塵用フィルタ２００の前面に相当する）との間に空間を形成する状態で、ケーシング本体４に取り付けられ、その前面カバー５の後面には、その後面とフィルタシステムＦの前面との間の空間を上方の側方吸込口１ｓが存在する側と下方の後方吸込口１ｒが存在する側とに上下に区画する仕切壁部５ｗが、フィルタシステムＦの前面に当接するように後方に突出する形態で設けられている。
前面カバー５は、その上側吹出し口２ｔ、下側吹出し口２ｂがそれぞれ通風路形成体１０の上側吐出筒部１０ｔ、下側吐出筒部１０ｂに連通し且つその仕切壁部５ｗがフィルタシステムＦの前面に当接する状態で、ケーシング本体４の前側に取り付けられることになる。
【００４０】
そして、図５及び図６に示すように、前面カバー５の後面とフィルタシステムＦの前面との間の空間において仕切壁部５ｗにて仕切られた上方側の部分により、循環用吸込風路部分６ｓが構成され、並びに、後方吸込口１ｒに連通された連通筒１１、及び、前面カバー５の後面とフィルタシステムＦの前面との間の空間において仕切壁部５ｗにて仕切られた下方側の部分により、外気用吸込風路部分６ｒが構成されることになる。
又、遠心ファン３の上方右側のスクロール壁９及び上側吐出筒部１０ｔにより、上側吐出風路部分７ｔが構成され、遠心ファン３の下方左側のスクロール壁９及び下側吐出筒部１０ｂにより、下側吐出風路部分７ｂが構成されることになる。
【００４１】
図４及び図６に示すように、前記のシャッタ８は、周壁部に通風口８ｒを備えた有底筒状に構成されて、その有底筒状のシャッタ８が、底部を前方に向けた姿勢で、前後方向に摺動自在な状態で、通風路形成体１０の連通口１０ｒに挿入されている。
通風口８ｒは、複数の横桟と複数の縦桟が碁盤目状に設けられることにより、網状に構成され、虫等の侵入を防止する構成となっている。
【００４２】
有底筒状のシャッタ８の底部にはつまみ８ｂが設けられ、そのつまみ８ｂを持ってシャッタ８の前後方向での位置を調整することにより、左右の側方吸込口１ｓからの吸い込み空気量と後方吸込口１ｒからの吸い込み空気量との比率が調整されることになり、又、シャッタ８をその底部の鍔部が通風路形成体１０の連通口１０ｒの縁部に当接するまで後方に押し込むと、外気用吸込風路部分６ｒが閉じられて、後方吸込口１ｒからの空気の吸い込みが停止されることになる。
【００４３】
上述のように構成された空気清浄装置は、図６に示すように、住宅等の建物の壁Ｗに後方側部分が埋め込まれた状態で取り付けられる。
つまり、壁Ｗの内壁板１３には、ケーシング本体４の段部４ａよりも後方側の部分が挿入可能な取付開口１３ａが形成され、空気清浄装置がそのケーシング本体４の段部４ａの外面が内壁板１３の表面に当接する状態でその内壁板１３に取り付けられる。
又、建物の壁Ｗの外壁板１４には、後方吸込口１ｒに対向するように外気取入れ口１４ａが設けられ、その外気取入れ口１４ａと後方吸込口１ｒとが外気取入れ筒１５にて連通接続されて、外気用吸込風路部分６ｒが建物の外部Ｗに臨むことになって、外気用吸込風路部分６ｒを通して外気が吸い込まれるように構成されている。
【００４４】
シャッタ８を開いた状態では、外気を取り入れながら、その取り入れ外気と室内から吸い込んだ室内空気とをフィルタシステムＦで除塵脱臭して室内に吹き込む形態で換気運転が実行される。シャッタ８を閉じた状態では、室内から吸い込んだ室内空気をフィルタシステムＦで除塵脱臭して室内に吹き込む形態で循環運転が実行される。
【００４５】
換気運転では、遠心ファン３の通風作用により、側方吸込み口１ｓ、循環用吸込風路部分６ｓを通して室内空気が吸い込まれ、並びに、後方吸込口１ｒ、外気用吸込風路部分６ｒを通して外気が吸い込まれ、それら吸い込み室内空気と外気が除塵用フィルタ２００、脱臭用フィルタ１００を順次通過して除塵脱臭される。そして、そのように除塵脱臭された空気が、上側吐出風路部分７ｔを通して上側吹出し口２ｔから室内に吹き出され、並びに、下側吐出風路部分７ｂを通して下側吹出し口２ｂから室内に吹き出されて、室内が換気されつつ室内空気が清浄化される。
【００４６】
循環運転では、遠心ファン３の通風作用により、側方吸込み口１ｓ、循環用吸込風路部分６ｓを通して室内空気が吸い込まれ、その吸い込み室内空気が除塵用フィルタ２００、脱臭用フィルタ１００を順次通過して除塵脱臭される。そして、そのように除塵脱臭された空気が、上側吐出風路部分７ｔを通して上側吹出し口２ｔから室内に吹き出され、並びに、下側吐出風路部分７ｂを通して下側吹出し口２ｂから室内に吹き出されて、室内空気が清浄化される。
【００４７】
上述したように、フィルタシステムＦが保持枠３００に保持された状態では、脱臭用フィルタ１００の後面と保持枠３００の底面との間には、吸込み空間４００が形成される。
又、遠心ファン３は吸込み空間４００を介して脱臭用フィルタ１００に吸い込み作用する。
従って、円形の通気口３０１は矩形状の保持枠３００の底部よりも小さいものの、遠心ファン３は吸込み空間４００を介して脱臭用フィルタ１００に吸い込み作用するので、除塵用フィルタ２００及び脱臭用フィルタ１００夫々における通気口３０１の外側に位置する部分を含む各フィルタの２００，１００の略全域を通して濾過対象の空気を通過させることができるものとなり、効率良く除塵並びに脱臭を行うことができる。
【００４８】
〔別実施形態〕
次に別実施形態を説明する。
（１）  袋状保持体Ｋの具体構成は、上記の実施形態において例示した構成、即ち、通気性及び柔軟性を有する２枚のシート状体１０３をそれらの間に複数のフィルタ本体１０１が板面に沿う方向に並べられた状態で対向配置して、それら２枚のシート状体１０３における厚さ方向視での各フィルタ本体１０１の外周の全周に対応する箇所を接合する構成に限定されるものではない。
例えば、袋状保持体Ｋを、フィルタ本体を嵌め込み可能な凹状部を複数のフィルタ本体１０１の配置形態と同様に並ぶ状態で複数備えた通気性及び柔軟性を有する１枚のシート状体と、複数の凹状部を各別に閉じるようにシート状体に接合される通気性及び柔軟性を有する複数のシート状蓋体とを備えて構成しても良い。
【００４９】
（２）  袋状保持体Ｋを、上記の実施形態の如く２枚のシート状体１０３にて構成する場合、２枚のシート状体の接合方法は、熱溶着に限定されるものではなく、例えば、接着剤にて接合してもよい。
又、２枚のシート状体を熱溶着にて接合する場合、赤外線等の光を用いて熱溶着するように構成しても良い。
【００５０】
（３）  シート状体１０３を構成する部材は、上記の実施形態において例示したウレタンフォームに限定されるものではなく、通気性及び柔軟性を有する種々の部材を用いることが可能である。
又、ウレタンフォームを用いて構成する場合、ウレタンフォームはポリエーテル系に限定されるものではなく、例えば、ポリエステル系でも良い。
【００５１】
（４）  フィルタ１００に備えさせる濾過機能は、上記の実施形態において例示した脱臭機能に限定されるものではなく、例えば、抗菌機能を備えさせてもよく、又、複数の異なる濾過機能を備えさせても良い。
又、フィルタシステムＦを、互いに異なる濾過機能を有する複数のフィルタ１００を濾過対象空気の通流方向に並置して構成しても良い。
【００５２】
（５）  フィルタ１００を構成するフィルタ本体１０１の個数及び配列形態は、上記の実施形態において例示したものに限定されるものではない。例えば、複数のフィルタ本体１０１の配列形態は１列でも良い。
【００５３】
（６）  空気清浄装置の具体構成は、上記の実施形態において例示した構成に限定されるものではない。
例えば、上記の実施形態では、吸込口１として、空気清浄対象室内の空気を吸い込むものと外気を吸い込むものとを備える場合について例示したが、外気を吸い込むものを省略しても良い。
【００５４】
（７）  本発明に係るフィルタシステムＦは、上記の実施形態にて例示した如き独立して構成された空気清浄装置以外に、ガスファンヒータや石油ファンヒータ等に備えられた空気清浄装置にも備えさせることができる。
【産業上の利用可能性】
【００５５】
以上説明したように、耐久性に優れながらも、低廉化を図り得る空気清浄用のフィルタシステム、及び、空気清浄装置を提供することができる。
【図面の簡単な説明】
【００５６】
【図１】フィルタシステムの縦断面図及び保持枠の前面図
【図２】脱臭用フィルタの一部切り欠き前面図
【図３】脱臭用フィルタの縦断面図
【図４】空気清浄装置の分解斜視図
【図５】空気清浄装置の縦断前面図
【図６】図５におけるＶＩ−ＶＩ矢視図
【図７】空気清浄装置の外形を示す斜視図
【符号の説明】
【００５７】
１      吸込口
２      吹出し口
３      送風手段
１００  フィルタ
１０１  フィルタ本体
１０２  袋状収納部
１０３  シート状体
２００  上流側フィルタ
Ｃ      ケーシング
Ｋ      保持体、袋状保持体
Ｐ      通風路
【図１】
2010119770.tif 000003
【図２】
2010119770.tif 000004
【図３】
2010119770.tif 000005
【図４】
2010119770.tif 000006
【図５】
2010119770.tif 000007
【図６】
2010119770.tif 000008
【図７】
2010119770.tif 000009